【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
インスリンポンプを制御するための装置であって、該装置は、
患者に関連する過去のデータに基づいて、計算されているゲインファクターを受け取るためのユーザー入力部、
患者に対する測定された血中グルコース値を表わすデータを受け取るための測定入力部、および
インスリン出力値を予測するために、測定された血中グルコース値をインスリン分泌物の計算モデルに適用するように；
患者のインスリン欠乏値を決定するために、ゲインファクターを予測されたインスリン出力値に適用するように；および
患者のインスリン欠乏値に基づいて、インスリンポンプのインスリン出力値を制御するための制御信号を計算するように構成された、
処理ロジック部、を含むことを特徴とする装置。
【請求項２】
処理ロジック部は、患者による食事の摂取後の第１期間の間に、ゲインファクターを予測されたインスリン出力値に適用するように構成されることを特徴とする、請求項１に記載の装置。
【請求項３】
ユーザー入力部は、患者に関連する過去のデータに基づいて計算されている、第２ゲインファクターおよび第３ゲインファクターを受け取り、および処理ロジック部は、
患者の血中グルコース値が予め決められたグルコース閾値と等しいか又はその閾値を超えるときの予測されたインスリン出力値に、第２ゲインファクターを適用するように；および
第１期間が終了するとき且つ患者の血中グルコース値が予め決められたグルコース閾値より低いときの予測されたインスリン出力値に、第３ゲインファクターを適用するように構成されていることを特徴とする、請求項２に記載の装置。
【請求項４】
ユーザー入力部は、摂取される食事の指標を受け取るように構成され、および処理ロジック部は、患者のインスリン出力値を予測するために、その指標をインスリン分泌物の計算モデルに適用することを特徴とする、請求項１乃至３のいずれかに記載の装置。
【請求項５】
処理ロジック部は、
測定された血中グルコース値および摂取される食事の指標に基づいて食事前のインスリン値を計算するように；および
食事前のインスリン値を使用して、患者の欠乏値および制御信号を計算するようにさらに構成されることを特徴とする、請求項４に記載の装置。
【請求項６】
摂取される食事の指標は、摂取される食事の炭水化物の量を示すデータをさらに含むことを特徴とする、請求項５に記載の装置。
【請求項７】
処理ロジック部は、
インスリンポンプのインスリン出力値からの血漿インスリン濃度の推定に基づいて、フィードバックのインスリン値を計算するように；および
フィードバックのインスリン値を使用して、患者の欠乏値および制御信号を計算するようにさらに構成されることを特徴とする、請求項１乃至６のいずれかに記載の装置。
【請求項８】
インスリン分泌物の計算モデルは、膵臓のβ細胞の計算モデルであることを特徴とする、請求項１乃至７のいずれかに記載の装置。
【請求項９】
集積回路として提供される、請求項１乃至８のいずれかに記載の装置。
【請求項１０】
集積回路は、相補型金属酸化膜半導体（ＣＭＯＳ）デバイスまたはチップであることを特徴とする、請求項１乃至９のいずれかに記載の装置。
【請求項１１】
測定された血中グルコース値は、皮下の血中グルコースセンサー、静脈内の血中グルコースセンサー、および非侵襲性の血中グルコースセンサーのグループからの血中グルコースセンサーから測定されることを特徴とする、請求項１乃至１０のいずれかに記載の装置。
【請求項１２】
第２ゲインファクターおよび第３ゲインファクターは、患者による食事の摂取後の第１期間の間に適用された、第１ゲインファクターに比例することを特徴とする、請求項２および３に従属するときの請求項４乃至１１のいずれかに記載の装置。
【請求項１３】
ゲインファクターは、過去のデータおよびインスリン分泌物の計算モデルに基づいて計算されることを特徴とする、請求項１２に記載の装置。
【請求項１４】
ゲインファクターは、患者に対する過去の測定された血中グルコース値に基づいて計算されることを特徴とする、請求項１２または１３に記載の装置。
【請求項１５】
ゲインファクターの少なくとも１つは、定められたグルコース特性のための予め決められた期間にわたって、過去のデータに基づいて予測されたインスリン出力値のコスト関数を最小限にすることによって計算されることを特徴とする、請求項１２乃至１４のいずれかに記載の装置。
【請求項１６】
予測されたインスリン出力値のコスト関数（Ｊ）は、
【数１】
2014524294.tif 000001
によって定義され、
式中、Ｔは、予め決められた期間であり、Ｕ（ｔ）は、インスリンポンプのインスリン出力値であり、ＳＲｂ（ｔ）は、最小インスリン速度であり、ＣＨＯは、摂取した炭水化物の量であり、およびＩＣＲは、計算されたインスリン対炭水化物の比率であり、これらは、定められたグルコース特性のための過去のデータから適用されるか、または引き出されることを特徴とする、請求項１５に記載の装置。
【請求項１７】
過去のデータおよび一連のグルコース特性から決定された一連のゲインファクターを計算する工程をさらに含むことを特徴とする、請求項１２乃至１６のいずれかに記載の装置。
【請求項１８】
患者によって使用されるためのインスリンシステムであって、該インスリンシステムは、患者のためのインスリンポンプ、患者のための血中グルコースセンサー、およびインスリンポンプのインスリン出力値の制御に使用するための請求項１乃至１１のいずれかの装置を含み、該装置は、インスリンポンプおよび血中グルコースセンサーに接続されていることを特徴とする、インスリンシステム。
【請求項１９】
血中グルコースセンサーは、皮下の血中グルコースセンサー、静脈内の血中グルコースセンサー、および非侵襲性の血中グルコースセンサーのグループからのセンサーであることを特徴とする、請求項１８に記載のインスリンシステム。
【請求項２０】
インスリンポンプであって、該インスリンポンプの出力インスリン値を制御するための請求項１乃至１７のいずれかの装置を含む、インスリンポンプ。
【請求項２１】
インスリンポンプを制御するための方法であって、該方法は、
患者に関連する過去のデータに基づいて計算されている、ゲインファクターを受け取る工程；
患者に対する測定された血中グルコース値を表わすデータを受け取る工程；
インスリン出力値を予測するために、測定された血中グルコース値をインスリン分泌物の計算モデルに適用する工程；
患者のインスリン欠乏値を決定するために、ゲインファクターを予測されたインスリン出力値に適用する工程；および
患者のインスリン欠乏値に基づいて、インスリンポンプのインスリン出力値を制御するための制御信号を計算する工程を含むことを特徴とする方法。
【請求項２２】
内部に保存されたコンピューター命令を含むコンピューター読み取り可能な媒体であって、該コンピューター読み取り可能な媒体は、コンピューターまたはプロセッサー上で実行されるときに、請求項２１の方法を行うことを特徴とする、コンピューター読み取り可能な媒体。
【請求項２３】
コンピューター命令を含むコンピューター読み取り可能な媒体であって、該コンピューター読み取り可能な媒体は、処理ロジック部上で実行されるときに、該処理ロジック部が、
インスリン出力値を予測するために、患者に対する測定される血中グルコース値をインスリン分泌物の計算モデルに適用する；
患者のインスリン欠乏値を決定するために、患者に関連する過去のデータに基づいて計算したゲインファクターを、予測されたインスリン出力値に適用する；および
患者のインスリン欠乏値に基づいて、インスリンポンプのインスリン出力値を制御するための制御信号を計算する、
ように構成されるようにすることを特徴とする、コンピューター読み取り可能な媒体。